(57)【特許請求の範囲】
【請求項１】
円筒状をした第１容器よりも小さい直径の円筒状をした第２容器と対向する円弧状の凹部が、対向する側面の少なくとも一方に設けられた仕切板と、
前記第１容器を移動しないように支持する内法に設定されるとともに、前記仕切板が底部と平行になるように前記仕切板の両端部が着脱可能に取り付けられる突起を対向する内面に設けたケース本体とからなり、
前記仕切板は、両端部を前記突起に取付手段で着脱可能に取り付けた状態で前記第２容器を移動しないように支持する、
ことを特徴とする車両用小物入れ。
【請求項２】
請求項１に記載の車両用小物入れにおいて、
前記仕切板の対向する側面に、両端部を前記突起に前記取付手段で着脱可能に取り付けた状態で、前記第１容器に対向する円弧状の第１凹部と前記第２容器に対向する円弧状の第２凹部とを設けた、
ことを特徴とする車両用小物入れ。
【請求項３】
請求項１または請求項２に記載の車両用小物入れにおいて、
前記ケース本体の底部に、前記仕切板を挿脱可能に収容する収容凹部を設けた、
ことを特徴とする車両用小物入れ。
【請求項４】
円筒状をした第１容器に対向する円弧状の第１凹部、前記第１容器よりも小さい直径の円筒状をした第２容器に対向する円弧状の第２凹部が対向する側面に設けられた第１仕切板と、
前記第２凹部が対向する側面に設けられた第２仕切板と、
２つの前記第１容器を移動しないように支持する内法に設定されるとともに、前記第１または第２仕切板が底部と平行になるように前記第１または第２仕切板の両端部が取付手段で着脱可能に取り付けられる突起を対向する内面に設けたケース本体とからなり、
前記第１仕切板は、両端部を前記突起に前記取付手段で着脱可能に取り付けた状態で、前記第１凹部、前記第２凹部および前記ケース本体で前記第１および第２容器をそれぞれ１つずつ移動しないように支持し、
前記第２仕切板は、両端部を前記突起に前記取付手段で着脱可能に取り付けた状態で、前記第２凹部および前記ケース本体で前記第２容器を２つ移動しないように支持する、
ことを特徴とする車両用小物入れ。
【請求項５】
請求項４に記載の車両用小物入れにおいて、
前記ケース本体の前記突起を設けた対向する内面に、前記第１または第２仕切板の両端部を挿脱可能に係止する係止手段を少なくとも１つ対向させて設けた、
ことを特徴とする車両用小物入れ。
【請求項６】
請求項４または請求項５に記載の車両用小物入れにおいて、
前記ケース本体の底部に、前記第１または第２仕切板を挿脱可能に収容する収容凹部を設けた、
ことを特徴とする車両用小物入れ。
【請求項７】
請求項４から請求項６のいずれかに記載の車両用小物入れにおいて、
前記係止手段を設けた前記ケース本体の対向する内面の少なくとも一方の端部に、前記第１または第２仕切板を挿脱可能に収容する収容手段を設けた、
ことを特徴とする車両用小物入れ。
【請求項８】
請求項５から請求項７のいずれかに記載の車両用小物入れにおいて、
前記係止手段または前記収容手段は、突条で構成されている、
ことを特徴とする車両用小物入れ。
【請求項９】
箱状のケース本体と、
このケース本体に収容される四角筒状のホルダとからなり、
このホルダを前記ケース本体に収容した状態で上側となる少なくとも２側壁に、円筒状をした容器が挿入できる２つの円孔をそれぞれ設けた車両用小物入れにおいて、
前記ケース本体の長手方向の対向する内面の少なくとも一方に、立てた状態で挿入された前記ホルダを支持、固定する突条を設け、
前記円孔を設けた前記ホルダの側壁を上側にして前記ケース本体に収容した状態で前記突条が入る溝を前記ホルダの側壁に設け、
前記ホルダの一側壁に設けた前記２つの円孔よりも狭い幅でこの２つの円孔内を通って前記一側壁の長手方向に貫通した切り欠き部を前記ホルダに設け、
この切り欠き部を設けた前記一側壁と対向する側壁とを連結する連結片を、前記２つの円孔の間に中央部を切り欠いて設けた、
ことを特徴とする車両用小物入れ。
【発明の詳細な説明】
【０００１】
【産業上の利用分野】
この発明は、例えば乗用自動車などのセンタコンソールに設けられ、ジュースなどのドリンク缶ような筒状の容器を倒れないよう支持したり、小物を収容することのできる車両用小物入れに関するものである。
【０００２】
【従来の技術】
図５は従来の上記した車両用小物入れの一例を示す斜視図である。
図５において、Ｃはセンタコンソールを示し、中央部に平断面形状が長方形の凹部Ｄが設けられている。
Ｌはパーキングブレーキレバーを示し、センタコンソールＣの部分に、凹部Ｄと横に並ぶように設けられている。
【０００３】
１は車両用小物入れを示し、センタコンソールＣに設けた凹部Ｄと略同じ長方形の平断面形状に外側が形成され、凹部Ｄに挿入、固定される。
そして、短手方向の内法は３５０ｍｌのドリンク缶Ａの直径６５ｍｍよりもわずかに長く、長手方向の内法はドリンク缶Ａの直径６５ｍｍを２倍した長さよりもわずかに長くなっている。
【０００４】
このように構成した車両用小物入れ１は、３５０ｍｌのドリンク缶Ａを２本並べて挿入すると、２本のドリンク缶Ａを倒れないように収容、支持することができる。
【０００５】
図６は従来の車両用小物入れの他の一例を示す斜視図である。
図６において、２は車両用小物入れとしてのドリンク容器ホルダを示し、図５の車両用小物入れ１のように、センタコンソールに設けた凹部に挿入、固定される。
そして、ドリンク容器ホルダ２は、３５０ｍｌのドリンク缶Ａの下部を支持する、例えば直径が６８ｍｍ位の凹部２ａｄを有するケース本体２ａと、このケース本体２ａの上部に取り付けられ、ケース本体２ａの上面を開閉するプッシュ−プッシュ式のロック機構を備えた蓋２ｂとで構成されている。
【０００６】
このように構成したドリンク容器ホルダ２は、蓋２ｂを開放させた状態で凹部２ａｄにドリンク缶Ａの下部を挿入すると、１本のドリンク缶Ａを倒れないように収容、支持することができる。
【０００７】
図７は従来の車両用小物入れのさらに他の一例を示す斜視図である。
図７において、３は車両用小物入れを示し、図５の車両用小物入れ１のように、センタコンソールに設けた凹部に挿入、固定される。
そして、車両用小物入れ３は、ケース本体３ａと、このケース本体３ａの内面に回動可能に取り付けられ、水平状態で３５０ｍｌのドリンク缶Ａの中程を対向するケース本体３ａの内面とで支持できるように、例えば直径が６８ｍｍの孔の一部である凹部３ｂｄを有する回動支持板３ｂとで構成されている。
【０００８】
このように構成した車両用小物入れ３は、回動支持板３ｂを回動させて水平状態にし、回動支持板３ｂおよび回動支持板３ｂが対向するケース本体３ａの内面で形成する空間にドリンク缶Ａを挿入すると、１本のドリンク缶Ａを倒れないように収容、支持することができる。
そして、垂下状態に回動支持板３ｂを回動させることにより、ケース本体３ａ内を広くして小物を収容することができる。
【０００９】
【発明が解決しようとする課題】
従来の車両用小物入れ、すなわち図５に示した車両用小物入れ１は、３５０ｍｌのドリンク缶Ａを２本挿入すると、２本のドリンク缶Ａを倒さず、移動しないように収容、支持することができる。
しかし、２５０ｍｌのドリンク缶の直径は５３ｍｍであるので、車両用小物入れ１に２５０ｍｌのドリンク缶を２本挿入すると、ドリンク缶を移動しないように支持することができないので、倒れないまでも不安定であり、走行中にドリンク缶同士がぶつかりあったり、ドリンク缶が車両用小物入れ１に衝合してカタカタというような音が発生する。
【００１０】
また、車両用小物入れ１に３５０ｍｌのドリンク缶Ａまたは２５０ｍｌのドリンク缶を１本だけ収容すると、ドリンク缶の回りに空きスペースが多くなるので、ドリンク缶が不安定となって倒れる恐れがあるとともに、ドリンク缶が車両用小物入れ１に衝合してカタカタというような音が発生する。
【００１１】
次に、図６に示すドリンク容器ホルダ２は、凹部２ａｄが設けられているので、他の小物が入れにくくなる。
そして、２５０ｍｌのドリンク缶を収容すると、ドリンク缶の回りに空きスペースが多くなるので、ドリンク缶が不安定となってドリンク容器ホルダ２に衝合してカタカタというような音が発生する。
【００１２】
さらに、図７に示す車両用小物入れ３は、２５０ｍｌのドリンク缶を収容すると、ドリンク缶の回りに空きスペースが多くなるので、ドリンク缶が不安定となって倒れる恐れがあるとともに、ドリンク缶が車両用小物入れ３に衝合してカタカタというような音が発生する。
そして、ドリンク缶を収容する場合と小物を収容する場合とに対応させて回動支持板３ｂを水平状態または垂下状態に回動させなければならないので、回動支持板３ｂを回動する操作が煩わしくなる。
【００１３】
この発明は、上記したような不都合を解消するためになされたもので、直径の異なる円筒状の容器を倒れないように支持した状態で収容することができ、小物も収容することのできる車両用小物入れを提供するものである。
【００１４】
【課題を解決するための手段】
第１の発明にかかる車両用小物入れは、円筒状をした第１容器よりも小さい直径の円筒状をした第２容器と対向する円弧状の凹部が、対向する側面の少なくとも一方に設けられた仕切板と、第１容器を移動しないように支持する内法に設定されるとともに、仕切板が底部と平行になるように仕切板の両端部が着脱可能に取り付けられる突起を対向する内面に設けたケース本体とからなり、仕切板の両端部を突起に取付手段で着脱可能に取り付けた状態で第２容器を移動しないように支持するものである。
【００１５】
第２の発明は、第１の発明の車両用小物入れにおいて、仕切板の対向する側面に、両端部を突起に取付手段で着脱可能に取り付けた状態で、第１容器に対向する円弧状の第１凹部と第２容器に対向する円弧状の第２凹部とを設けたものである。
第３の発明は、第１または第２の発明の車両用小物入れにおいて、ケース本体の底部に、仕切板を挿脱可能に収容する収容凹部を設けたものである。
【００１６】
第４の発明にかかる車両用小物入れは、円筒状をした第１容器に対向する円弧状の第１凹部、第１容器よりも小さい直径の円筒状をした第２容器に対向する円弧状の第２凹部が対向する側面に設けられた第１仕切板と、第２凹部が対向する側面に設けられた第２仕切板と、２つの第１容器を移動しないように支持する内法に設定されるとともに、第１または第２仕切板が底部と平行になるように第１または第２仕切板の両端部が取付手段で着脱可能に取り付けられる突起を対向する内面に設けたケース本体とからなり、両端部を突起に取付手段で着脱可能に取り付けた状態で、第１仕切板の第１凹部、第２凹部およびケース本体で第１および第２容器をそれぞれ１つずつ移動しないように支持し、両端部を突起に取付手段で着脱可能に取り付けた状態で、第２仕切板の第２凹部およびケース本体で第２容器を２つ移動しないように支持するものである。
【００１７】
第５の発明は、第４の発明の車両用小物入れにおいて、ケース本体の突起を設けた対向する内面に、第１または第２仕切板の両端部を挿脱可能に係止する係止手段を少なくとも１つ対向させて設けたものである。
第６の発明は、第４または第５の発明の車両用小物入れにおいて、ケース本体の底部に、第１または第２仕切板を挿脱可能に収容する収容凹部を設けたものである。
【００１８】
第７の発明は、第４から第６の発明の車両用小物入れのいずれかにおいて、係止手段を設けたケース本体の対向する内面の少なくとも一方の端部に、第１または第２仕切板を挿脱可能に収容する収容手段を設けたものである。
第８の発明は、第５から第７の発明の車両用小物入れのいずれかにおいて、係止手段または収容手段が突条で構成されているものである。
【００１９】
第９の発明にかかる発明は、箱状のケース本体と、このケース本体に収容される四角筒状のホルダとからなり、このホルダをケース本体に収容した状態で上側となる少なくとも２側壁に、円筒状をした容器が挿入できる２つの円孔をそれぞれ設けた車両用小物入れにおいて、ケース本体の長手方向の対向する内面の少なくとも一方に、立てた状態で挿入されたホルダを支持、固定する突条を設け、円孔を設けたホルダの側壁を上側にしてケース本体に収容した状態で突条が入る溝をホルダの側壁に設け、ホルダの一側壁に設けた２つの円孔よりも狭い幅でこの２つの円孔内を通って一側壁の長手方向に貫通した切り欠き部をホルダに設け、この切り欠き部を設けた一側壁と対向する側壁とを連結する連結片を、２つの円孔の間に中央部を切り欠いて設けたものである。
【００２１】
【作用】
この発明における車両用小物入れは、仕切板、第１仕切板または第２仕切板の両端をケース本体の突起に取り付けてケース本体内を複数に区画することにより、円筒状の第１容器または／および第１容器の直径よりも小さい直径の第２容器を移動しないように支持することができる。
【００２２】
さらに、突条を利用してケース本体内に立てた状態にホルダを収容させることにより、ホルダの中に第１および第２容器と異なる形状のものを収容させたり、立て掛けることができる。
【００２３】
【実施例】
以下、この発明の実施例を図に基づいて説明する。
図１はこの発明の第１実施例である車両用小物入れを示す斜視図、図２（ａ），（ｂ），（ｃ）は説明図である。
図１において、１１Ａは車両用小物入れを示し、図５に示すように、センタコンソールに設けた凹部と略同じ長方形の平断面形状に外側が形成され、凹部に挿入、固定される箱状のケース本体１２Ａと、このケース本体１２Ａに挿入される第１および第２仕切板１３Ａ，１３Ｂとで構成されている。
【００２４】
１２ａ11，１２ａ12，１２ｂ11，１２ｂ21，１２ｂ12，１２ｂ22，１２ｄ11，１２ｄ21，１２ｄ12，１２ｄ22および１２ｅ11，１２ｅ12はケース本体１２Ａの長手方向の対向する内面に対向して設けられた突条を示す。
そして、突条１２ａ11，１２ａ12および突条１２ｅ11，１２ｅ12はケース本体１２Ａの短手方向の内面とで第１および第２仕切板１３Ａ，１３Ｂを挿脱可能に収容する収容手段を構成する。
【００２５】
また、突条１２ｂ11，１２ｂ21，１２ｂ12，１２ｂ22および突条１２ｄ11，１２ｄ21，１２ｄ12，１２ｄ22は第１または第２仕切板１３Ａ，１３Ｂを挿脱可能に係止する係止手段を構成する。
１２ｈはケース本体１２Ａの底部に設けた収容凹部を示し、第１および第２仕切板１３Ａ，１３Ｂを挿脱可能に収容するものである。
そして、この収容凹部１２ｈに第１および第２仕切板１３Ａ，１３Ｂを収容すると、ケース本体１２Ａの底部と第１または第２仕切板１３Ａ，１３Ｂとは同一面となる。
【００２６】
１２ｐ1，１２ｐ2は突起を示し、ケース本体１２Ａの長手方向の内面の中央部分に対向して設けられ、ケース本体１２Ａとで２本のドリンク缶Ａを移動しないように支持するとともに、第１または第２仕切板１３Ａ，１３Ｂの孔に、取付手段としてのボスを挿入することにより、第１または第２仕切板１３Ａ，１３Ｂを着脱可能に取り付けることができる。
１３Ａは第１仕切板を示し、両端を突起１２ｐ1，１２ｐ2に取り付けた状態で、ケース本体１２Ａの短手方向の一方の内面と対向する側面に、両面の間に直径が６８ｍｍの円筒が挿入できるように、直径が６８ｍｍである円弧状の第１凹部１３ａが設けられ、ケース本体１２Ａの短手方向の他方の内面と対向する側面に、両面の間に直径が５６ｍｍの円筒が挿入できるように、直径が５６ｍｍである円弧状の第２凹部１３ｂが設けられている。
【００２７】
１３Ｂは第２仕切板を示し、両端を突起１２ｐ1，１２ｐ2に取り付けた状態で、ケース本体１２ａの短手方向の両内面と対向する両側面に、両面の間に直径が５６ｍｍの円筒が挿入できるように、直径が５６ｍｍである円弧状の第２凹部１３ｂが設けられている。
なお、第１および第２仕切板１３Ａ，１３Ｂを突起１２ｐ1，１２ｐ2に、着脱可能に取り付けるのを、ビスで行ってもよい。
Ａはドリンク缶を示し、直径が６５ｍｍで、容量が３５０ｍｌである。
Ｂはドリンク缶を示し、直径が５３ｍｍで、容量が２５０ｍｌである。
【００２８】
図１のように構成したこの発明の第１実施例の車両用小物入れ１１Ａは、突条１２ｂ11，１２ｂ21，１２ｂ12，１２ｂ22または突条１２ｄ11，１２ｄ21，１２ｄ12，１２ｄ22を利用して第１または第２仕切板１３Ａ，１３Ｂを係止させると、ケース本体１２Ａ内を複数に分割することができる。
このようにケース本体１２Ａ内を複数に分割することにより、収容する小物の大きさに応じてケース本体１２Ａ内を区画することができる。
【００２９】
そして、図２（ａ）に示すように、突起１２ｐ1，１２ｐ2を利用して３５０ｍｌのドリンク缶Ａを２本移動しないように支持することができる。
また、図２（ｂ）に示すように、突起１２ｐ1，１２ｐ2に第１仕切板１３Ａの両端を取り付けることにより、３５０ｍｌおよび２５０ｍｌのドリンク缶Ａ，Ｂをそれぞれ１本ずつ移動しないように支持することができる。
さらに、図２（ｃ）に示すように、突起１２ｐ1，１２ｐ2に第２仕切板１３Ｂの両端を取り付けることにより、２５０ｍｌのドリンク缶Ｂを２本移動しないように支持することができる。
【００３０】
図３はこの発明の第２実施例である車両用小物入れを示す分解斜視図、図４（ａ），（ｂ），（ｃ），（ｄ）は説明図であり、図１および図２と同一または相当部分に同一符号を付して説明を省略する。
そして、図４（ｂ），（ｃ），（ｄ）は図４（ａ）のＡ−Ａ線の断面図に相当する。
図３および図４において、１１Ｂは車両用小物入れを示し、図５に示すように、センタコンソールに設けた凹部と略同じ長方形の平断面形状に外側が形成され、凹部に挿入、固定される箱状のケース本体１２Ｂと、このケース本体１２Ｂに挿入されるホルダ１４とで構成されている。
【００３１】
１２ｆ11，１２ｆ12，１２ｆ21，１２ｆ22は突条を示し、ケース本体１２Ｂの長手方向の内面にそれぞれ対向させて設けられ、ホルダ１４の溝１４ｄ11，１４ｄ12，１４ｄ21，１４ｄ22に係合するものである。
１２ｖ1，１２ｖ2は突出部を示し、ケース本体１２Ｂの底部に設けられ、ホルダ１４の円孔１４ｈ1，１４ｈ2に入ってホルダ１４の内面と同一面を形成する高さとされている。
そして、突出部１２ｖ1，１２ｖ2の直径は、５３ｍｍとされている。
【００３２】
１４は四角筒状のホルダを示し、一側壁を上側にした状態でケース本体１２Ｂ内に収容されるもので、対向する側壁に円孔１４ｈ1，１４ｈ2が設けられている。
そして、円孔１４ｈ1の直径は６８ｍｍで、円孔１４ｈ2の直径は５６ｍｍであるが、図４（ａ）における右側の円孔１４ｈ1は直径の幅で右側端まで切り欠いてある。
【００３３】
１４ｔは切り欠き部を示し、円孔１４ｈ1を設けた側壁に円孔１４ｈ1の直径よりも狭い幅で２つの円孔１４ｈ1の中心を通って側壁の長手方向に貫通している。
１４ｌ1，１４ｌ2は連結片を示し、円孔１４ｈ1，１４ｈ2が設けられた対向する側壁を連結するものであり、２つの円孔１４ｈ1と２つの円孔１４ｈ2との間に設けられている。
【００３４】
１４ｄ11，１４ｄ12，１４ｄ21，１４ｄ22はホルダ１４の側壁に設けられた溝を示し、円孔１４ｈ1，１４ｈ2を設けた側壁を上側とした状態でホルダ１４をケース本体１２Ｂに収容させると、突条１２ｆ11，１２ｆ12，１２ｆ21，１２ｆ22が入るものである。
Ｈは自動車電話機のハンドセット、ＯはハンドセットＨから延びるコード、ＰはコードＯの先端に取り付けたアダプタを示し、このアダプタＰは、電源用であり、シガレットライタに接続されるものである。
【００３５】
図３および図４のように構成したこの発明の第２実施例の車両用小物入れ１１Ｂは、図４（ａ），（ｂ）に示すように、円孔１４ｈ1を設けた側壁を上側とした状態でホルダ１４をケース本体１２Ｂに収容させると、２つの円孔１４ｈ1で３５０ｍｌのドリンク缶Ａを２本移動しないように支持することができる。
また、図４（ｃ）に示すように、円孔１４ｈ2を設けた側壁を上側とした状態でホルダ１４をケース本体１２Ｂに収容させると、２つの円孔１４ｈ2で２５０ｍｌのドリンク缶Ｂを２本移動しないように支持することができる。
【００３６】
このようにドリンク缶Ａ，Ｂを移動しないように支持する場合、ドリンク缶Ａ，Ｂを支持しない方の円孔１４ｈ1，１４ｈ2に突出部１２ｖ1，１２ｖ2が入って載置面がフラットになるので、ドリンク缶Ａ，Ｂは傾かなくなる。
そして、図４（ｄ）に示すように、ケース本体１２Ｂの内面および突条１２ｆ11，１２ｆ12によって立てた状態のホルダ１４を支持、固定させると、コードＯを連結片１４ｌ1，１４ｌ2の間から導出させた状態にハンドセットＨをホルダ１４に収容させることができるので、電話機台としても使用することができる。
【００３７】
このようにホルダ１４をケース本体１２Ｂに立てた状態で収容させると、ホルダ１４の前側のスペースに、ドリンク缶Ａ，Ｂ以外の小物を収容することができる。
さらに、ケース本体１２Ｂにホルダ１４を収容させなければ、ケース本体１２Ｂ内を広くして多くの小物を収容することができる。
【００３８】
この第２実施例の場合、ホルダ１４を立てた状態に、ケース本体１２Ｂおよび突条１２ｆ21，１２ｆ22でも支持、固定することができる。
そして、ホルダ１４を正四角筒とし、円孔１４ｈ1，１４ｈ2を設けなかった側壁にも他の円孔および溝を設けるとともに、円孔の直径を互いに異ならせることにより、２種類以上の円筒状の容器を移動しないよう支持することができる。
また、同一側壁に設ける円孔の直径を異ならせると、同一側壁で異なる直径の容器を移動しないように支持することができる。
さらに、ホルダ１４の円孔１４ｈ1を設けた側壁を、図４（ａ）に二点鎖線で示すように、左右対称の形状として円孔１４ｈ1を形成してもよい。
【００３９】
なお、上記した実施例の数値は一例を示すものであり、他の数値であってもよい。
また、各実施例は、ケース本体１２Ａ，１２ＢをセンタコンソールＣから取り外せるので、ケース本体１２Ａ，１２Ｂ内の掃除が容易にできる。
さらに、センタコンソールＣの凹部Ｄをケース本体として利用してもよい。
【００４０】
【発明の効果】
以上のように、第１〜第３の発明によれば、仕切板を突起に取り付けることにより、複数の直径の異なる円筒状の容器を倒れないように支持することができる。
【００４１】
また、第４〜第８の発明によれば、第１〜第３の発明と同様な効果を得ることができる。
さらに、第９の発明によれば、複数の直径の異なる円筒状の容器を移動しないよう支持することができるとともに、ホルダを立てた状態でケース本体内に収容させることにより、電話機台としても利用することができる。
【図面の簡単な説明】
【図１】この発明の第１実施例である車両用小物入れを示す分解斜視図である。
【図２】（ａ），（ｂ），（ｃ）は第１実施例の説明図である。
【図３】この発明の第２実施例である車両用小物入れを示す分解斜視図である。
【図４】（ａ），（ｂ），（ｃ），（ｄ）は第２実施例の説明図である。
【図５】従来の車両用小物入れの一例を示す斜視図である。
【図６】従来の車両用小物入れの他の一例を示す斜視図である。
【図７】従来の車両用小物入れのさらに他の一例を示す斜視図である。
【符号の説明】
Ａ，Ｂ              ドリンク缶
Ｃ                  センタコンソール
Ｄ                  凹部
１１Ａ，１１Ｂ      車両用小物入れ
１２Ａ，１２Ｂ      ケース本体
１２ａ11，１２ａ12  突条
１２ｂ11〜１２ｂ22  突条
１２ｄ11〜１２ｄ22  突条
１２ｅ11，１２ｅ12  突条
１２ｆ11〜１２ｆ22  突条
１２ｈ              収容凹部
１２ｐ1，１２ｐ2    突起
１２ｖ1，１２ｖ1    突出部
１３Ａ              第１仕切板
１３ａ              第１凹部
１３Ｂ              第２仕切板
１３ｂ              第２凹部
１４                ホルダ
１４ｄ11〜１４ｄ22  溝
１４ｈ1，１４ｈ2    円孔
１４ｔ              切り欠き部
１４ｌ1，１４ｌ2    連結片
【図１】
0003801659.tif 000002
【図２】
0003801659.tif 000003
【図３】
0003801659.tif 000004
【図４】
0003801659.tif 000005
【図５】
0003801659.tif 000006
【図６】
0003801659.tif 000007
【図７】
0003801659.tif 000008